(57)【特許請求の範囲】
【請求項１】
建物の開口部に設けられる建具であって、
枠体と、
前記枠体の内側であって見付方向に移動するとともに、光を透過させる透明部を有する戸体と、
前記枠体の内側であって見付方向の他側に設けられ、前記戸体の戸袋を形成する面材と、
を備え、
前記面材における前記戸袋を形成する側の略全面には、鏡面部が設けられ、
前記戸体を開状態にしたときも前記透明部を通じて前記鏡面部を鏡として利用できる建具。
【請求項２】
前記枠体は、浴室と浴室外を連通する開口部に固定される請求項１に記載の建具。
【請求項３】
請求項１又は２に記載の建具の施工方法であって、
バンドを面材に対して縦方向に巻き付ける工程と、
前記面材に巻き付けられた前記バンドを把持部として前記面材を前記枠体に嵌め込む工程と、
前記枠体に前記面材を嵌め込んだ状態で、前記バンドのみを引き抜く工程と、
を含む建具の施工方法。
【発明の詳細な説明】
【技術分野】
【０００１】
本発明は、建物の開口部に設けられる建具及びその施工方法に関する。
【背景技術】
【０００２】
従来から、建物の開口部に設けられ、戸体を備える建具において、鏡を配置する構成が知られている。この種の技術を開示するものとして、例えば特許文献１がある。特許文献１には、その表面側の同一部材全体に鏡を固着したことを特徴とする鏡を用いた屋内装具として、浴室前のドアの全面が鏡になっている構成が開示されている。
【先行技術文献】
【特許文献】
【０００３】
【特許文献１】実登第３１９５３９０号公報
【発明の概要】
【発明が解決しようとする課題】
【０００４】
ところで、特許文献１に開示される構成のように、可動する戸体の全面に鏡を設けた場合、戸体の開閉動作によって鏡が破損するおそれがある。例えば、戸体を閉めた時の衝撃が鏡に大きく伝わってしまう。また、戸体を開けたときに人や物とぶつかって鏡が破損するおそれもある。特許文献１では、プラスチック板にアルミニウム蒸着したものが好適であるとしているものの、ドアの開閉時の衝撃を鏡が受け易いことに変わりはない。
【０００５】
本発明は、建物の開口部に設けられる建具において、鏡面部が戸体の開閉動作による衝撃によって破損する事態を効果的に防止できる構成及びその建具を施工する方法を提供することを目的とする。
【課題を解決するための手段】
【０００６】
本発明は、建物の開口部に設けられる建具（例えば、後述の建具１）であって、枠体（例えば、後述の枠体１０）と、前記枠体の内側であって見付方向の一側に設けられる戸体（例えば、後述の障子２０）と、前記枠体の内側であって見付方向の他側に設けられる面材（例えば、後述の鏡面パネル７０）と、を備え、前記面材における見込方向の少なくとも一側の面には、鏡面部（例えば、後述の鏡面部７１）が設けられる建具に関する。
【０００７】
前記戸体は、前記枠体の内側で見付方向に移動する引戸であり、前記面材は、前記戸体の戸袋（例えば、後述の戸袋１９）を形成し、前記鏡面部は、前記面材における前記戸袋を形成する側に配置され、前記戸体は、光を透過させる透明部（例えば、後述のガラス２６）を有することが好ましい。
【０００８】
前記枠体は、浴室と浴室外を連通する開口部に固定されることが好ましい。
【０００９】
また、本発明は、前記建具の施工方法であって、バンド（例えば、後述のバンド３５０）を面材に対して縦方向に巻き付ける工程と、前記面材に巻き付けられた前記バンドを把持部として前記面材を前記枠体に嵌め込む工程と、を含む建具の施工方法に関する。
【発明の効果】
【００１０】
本発明によれば、建物の開口部に設けられる建具において、鏡面部が戸体の開閉動作による衝撃によって破損する事態を効果的に防止できる構成及びその建具を施工する方法を提供できる。
【図面の簡単な説明】
【００１１】
【図１】本発明の第１実施形態に係る建具を脱衣室側から見た斜視図である。
【図２】第１実施形態の建具の鏡面パネルを支持する構造を示す縦断面図である。
【図３】第１実施形態の建具の鏡面パネルを支持する構造を示す横断面図である。
【図４】本発明の第２実施形態に係る建具を脱衣室側から見た斜視図である。
【図５】パネルの梱包が外される様子を示す説明図である。
【図６】パネルを枠体に嵌め込む様子を示す斜視図である。
【図７】パネルを枠体に嵌め込む様子を示す縦断面図である。
【図８】パネルが嵌め込まれた様子を示す斜視図である。
【発明を実施するための形態】
【００１２】
以下、本発明の好ましい一実施形態について、図面を参照しながら説明する。なお、本明細書において、「見付方向」とは、建物に形成された開口部に納められた建具における障子の面方向（すなわち、左右方向）を意味し、「見込方向」とは、上記障子の厚さ方向（すなわち、奥行き方向）を意味する。
【００１３】
図１は、本発明の一実施形態に係る建具１を脱衣室側から見た斜視図である。なお、図１の矢印は、障子２０が閉鎖位置から開放位置に移動する向きを示している。図２は、第１実施形態の建具１の鏡面パネル７０を支持する構造を示す縦断面図である。図３は、第１実施形態の建具１の鏡面パネル７０を支持する構造を示す横断面図である。
【００１４】
図１に示すように、第１実施形態の建具１は、枠体１０と、枠体１０の内側で見付方向に移動可能な障子２０と、を備える。
【００１５】
枠体１０は、建物としてのユニットバス（図示省略）に形成される開口部に設けられる。ユニットバスの内側には防水パン及び浴槽（図示省略）等が設けられる浴室空間が形成される。ユニットバスの開口部は、浴室内とユニットバスの外側の脱衣室（浴室外）を接続する出入口となる。
【００１６】
図１に示すように、本実施形態の枠体１０は、上枠１１と、下枠１２と、左右それぞれに配置される縦枠１５と、によって矩形の枠組みとして形成される。また、図２に示すように、枠体１０の内側の見付方向の中央には方立１６が設けられる。方立１６は、上枠１１、下枠１２及び左右の縦枠１５によって囲まれた枠内を２つの空間に区画する。方立１６によって分割された見付方向の一側の空間にはユーザが浴室と脱衣室を行き来する通路となる開口部分が形成され、見付方向の他側の空間には鏡面パネル７０が固定される。また、図３に示すように、下枠１２の浴室側にはスロープ１００が配置される。
【００１７】
本実施形態では、鏡面パネル７０における脱衣室側の面が戸袋１９を形成する。また、鏡面パネル７０の浴室側の面は、ユニットバスの壁が位置し、施工作業後は鏡面パネル７０の浴室側の面はユーザから見えない状態となる。
【００１８】
図１の鎖線に示すように、障子２０は、開口部分を閉じる閉鎖位置と、戸袋１９に納まって開口部分を開く開放位置と、の間をスライド可能に枠体１０によって略垂直に支持される。本実施形態の障子２０は、上框２１と、下框２２と、左右それぞれに配置される縦框２３と、により矩形に枠組みされた框２５と、框２５の内側に固定されるガラス２６と、を備える。また、戸先側の縦框２３には、高さ方向の略中央部にプレートハンドル５０と、錠の開閉を行うためのサムターン６０と、が設けられる。
【００１９】
次に、鏡面パネル７０及び鏡面パネル７０を支持する構造について説明する。図２に示すように、鏡面パネル７０は、鏡面部７１と、背板部７２と、を備える。
【００２０】
鏡面部７１は、脱衣室側を向くガラス製の鏡である。鏡面部７１は不透過になっており、鏡面パネル７０を通して脱衣室側から浴室側を見とおせないようになっている。本実施形態では、背板部７２における脱衣室側の面に固定されており、背板部７２と一体的な部材となっている。本実施形態では、戸袋１９の略全面が鏡面パネル７０となっている。
【００２１】
背板部７２は繊維板である。本実施形態では、ＭＤＦ（Ｍｅｄｉｕｍ  Ｄｅｎｓｉｔｙ  Ｆｉｂｅｒｂｏａｒｄ）が用いられている。
【００２２】
また、本実施形態の鏡面パネル７０は、その他の構成として鏡面部７１の表面に取り付けられる飛散防止フィルム（図示省略）を更に備える。また、鏡面部７１と背板部７２の間には、接着剤及び接着シート等からなる接着層（図示省略）が形成される。この構成により、鏡面部７１が外部からの衝撃等により破損した場合でも飛散防止フィルムにより、ガラスの部分が飛散する事態を防止できる。また、破損した鏡面パネル７０を交換する作業においても、背板部７２によって鏡面パネル７０の形状が保持されるので、砕けたガラス及び飛散防止フィルムだけで面材を構成する場合に比べ、交換対象の鏡面パネル７０を容易に把持でき、鏡面パネル７０の交換作業をスムーズに行うことができる。
【００２３】
枠体１０は、鏡面パネル７０を支持する構造として、鏡面パネル７０の上端を保持するパネル上枠８１と、鏡面パネル７０の下端を保持するパネル下枠８２と、鏡面パネル７０の左右の端部を保持する１組のパネル縦框８３と、を備える。
【００２４】
パネル上枠８１は、上枠１１に連結されており、下方に開口する溝が形成される。パネル上枠８１に形成される溝に鏡面パネル７０の上端が挿入される。また、パネル上枠８１の溝の内側の脱衣室側にはビード部８１ｂが形成される。
【００２５】
パネル下枠８２は、下枠１２に連結されており、上方に開口する溝が形成される。パネル下枠８２に形成される溝の内側には、鏡面パネル７０の下端を支持する支持部材８２ａが配置される。また、パネル下枠８２の溝の内側の脱衣室側にはビード部８１ｂが形成される。
【００２６】
パネル縦框８３は、鏡面パネル７０の左右両側に配置される。本実施形態では、方立１６側のパネル縦框８３と方立１６が一体的な部材となっている。鏡面パネル７０の左右両側端は、パネル縦框８３に形成される溝の内側に挿入される。パネル縦框８３の溝にもビード部８３ａが形成される。このように、ビード部は、鏡面パネル７０を支持する構造の上下左右のそれぞれに形成される。
【００２７】
枠体１０の内側で上下左右が固定された鏡面パネル７０は、その鏡面部７１が脱衣室側となる。脱衣室側にいるユーザは、脱衣室側で戸袋１９のスペースを活用して鏡面パネル７０の鏡面部７１を鏡として利用することができる。
【００２８】
以上説明した第１実施形態の建具１によれば、以下のような効果を奏する。
第１実施形態の建具１は、枠体１０と、枠体１０の内側であって見付方向の一側に設けられる障子２０と、枠体１０の内側であって見付方向の他側に設けられる鏡面パネル７０と、を備え、鏡面パネル７０における見込方向の一側の面には、鏡面部７１が設けられる。
【００２９】
これにより、移動する障子２０ではない箇所に鏡面パネル７０が固定されることになるので、障子２０が閉められたときの衝撃が直接的に鏡面パネル７０に伝達されなくなり、障子２０の閉鎖時に鏡面パネル７０に伝わる衝撃を効果的に抑制できる。また、障子２０をあけるときも鏡面パネル７０はその位置が動かないので、障子に鏡が取り付けられるような構成に比べ、鏡の部分が破損する事態が少なくなる。このように、本実施形態の構成により、障子２０の開閉時に生じる衝撃によって鏡面パネル７０が破損する事態を効果的に防止できる。
【００３０】
本実施形態の障子２０は、枠体１０の内側で見付方向に移動する引戸であり、鏡面パネル７０は、障子２０の戸袋１９を形成し、鏡面部７１は、鏡面パネル７０における戸袋１９を形成する側に配置され、障子２０は、光を透過させる透明部としてのガラス２６を有する。
【００３１】
これにより、戸袋１９のスペースを利用して鏡面部７１の面積を大きく確保できる。また、障子２０を開状態にしたときも透明部であるガラス２６を通じて鏡面部７１を鏡として利用することができる。更に、障子２０の位置に関係なく、ガラス２６を通じた鏡面部７１への映り込みによって脱衣室側の空間を広く感じさせることができる。
【００３２】
枠体１０は、浴室と浴室外を連通する開口部に固定される。これにより、脱衣室側又は浴室側に鏡を配置するスペースがなくても、枠体１０が配置されるスペースを活用して鏡の機能を有する鏡面部７１を配置できる。
【００３３】
次に、第２実施形態の建具２０１について説明する。図４は、本発明の第２実施形態に係る建具２０１を脱衣室側から見た斜視図である。
【００３４】
第２実施形態の建具２０１は、枠体２１０と、枠体２１０の内側に開き戸として回転可能に取り付けられるドア２２０と、を備える。
【００３５】
枠体２１０は、上枠２１１と、下枠２１２と、左右それぞれに配置される縦枠２１５と、方立２１６と、によって矩形の枠組みとして形成される。方立２１６は、上枠２１１、下枠２１２及び左右の縦枠２１５によって囲まれた枠内を２つの空間に区画する。方立２１６によって分割された見付方向の一側の空間にはドア２２０が配置され、見付方向の他側の空間にＦＩＸ部としての鏡面パネル２７０が固定される。また、方立２１６には、ドア２２０の戸当たり（図示省略）が設けられる。
【００３６】
ドア２２０は、開口部分を閉じる閉鎖位置と、開口部分を開く開放位置と、の間を回転可能に枠体２１０に支持されており、ハンドル２５０を脱衣室側に引くことにより開放位置側に移動する。本実施形態のドア２２０は、上框２２１と、下框２２２と、左右それぞれに配置される縦框２２３と、により矩形に枠組みされた框２２５と、框２２５の内側に固定されるガラス２６と、を備える。
【００３７】
鏡面パネル２７０は、枠体２１０の内側で浴室側の空間と脱衣室側の空間を区画する面材（壁）となっている。ガラスの表面に鏡面部２７１が形成される。鏡面部２７１は、不透過のフィルムによって形成されており、鏡面パネル２７０を通して脱衣室側から浴室側を見とおせないようになっている。
【００３８】
本実施形態の構成であれば、いわゆるＦＩＸ窓の構造を利用することもできる。例えば、ＦＩＸ窓に適用されるガラスに黒印刷を行う又はカラーフィルムを張って鏡面部を形成することもできる。更に、ガラス部分の見込み方向の両側に鏡面部を形成することもできる。これによって、浴室側の面及び脱衣室側の面の両方で鏡を利用することができる。この構成においても、鏡面部の面積を枠体２１０の内側で大きく確保することができる。
【００３９】
以上、本発明の好ましい各実施形態について説明したが、本発明は、上述の実施形態に制限されるものではなく、適宜変更が可能である。例えば、上記実施形態で説明した鏡面部７１，２７１は、事情に応じて適宜変更できる。鏡面部として明るい側からは鏡に見えるが暗い側からは向こう側が透けて見えるハーフミラーのような透過率が０ではないものや鏡面加工を行った金属製のものを用いる等、鏡面部及び面材としての鏡面パネルの構成及び材料は事情に応じて適宜変更することができる。
【００４０】
上記実施形態の戸体としての障子２０及びドア２２０は、何れも透明部としてのガラス２６，２２６を有する構成であるが、透明部を省略することもできる。例えば、框２５，２２５の内側に固定される面材を樹脂製のものやアルミと樹脂の複合面材等にしてもよい。
【００４１】
次に、上記実施形態で説明した建具の施工方法について説明する。
従来から、建具の施工方法において、ガラスを枠体に固定する作業で吸盤装置を用いてガラスを把持する方法が知られている。しかし、この方法では枠体にガラスを嵌め込む作業を行う施工業者が吸盤装置を用意しておく必要がある上、吸盤装置の使用方法を把握する必要がある。次に、吸盤装置を使用することなくガラス製の鏡を枠体に嵌め込む作業を実現した建具１の施工方法について第１実施形態の建具１を例として説明する。なお、以下の説明において、本実施形態の施工方法の対象となる建具１は第１実施形態で説明した建具１と同様の構成であり、同様の構成については同じ符号を付してその説明を省略することがある。
【００４２】
図５は、鏡面パネル７０の梱包が外される様子を示す説明図である。図６は、鏡面パネル７０を枠体１０に嵌め込む様子を示す斜視図である。図７は、鏡面パネル７０を枠体１０に嵌め込む様子を示す縦断面図である。図８は、鏡面パネル７０が嵌め込まれた様子を示す斜視図である。なお、各図において、バンド３５０や施工作業でまだ取り付けられていない部品等についてその図示を省略していることがある。例えば、図７ではバンド３５０や養生段ボール３２０等が省略されている。
【００４３】
まず、図５を参照して鏡面パネル７０の梱包状態について説明する。図５（ａ）では、ポリシート３１１に包まれた鏡面パネル７０の上下左右をそれぞれ囲う段ボール３１０が外される様子が示されている。図５（ｂ）では、段ボール３１０が外され、ポリシート３１１が剥がされる様子が示されている。図５（ｃ）では、開梱され、施工作業に用いられる状態の鏡面パネル７０が示されている。
【００４４】
図５（ａ）〜（ｃ）に示すように、予め２本のバンド３５０が鏡面パネル７０に対して縦方向に巻き付けられている。２本のバンド３５０は、横方向に間隔をあけて取り付けられる。
【００４５】
本実施形態のバンド３５０は、バンド部３５１と、ロック装置３５２と、を備える。バンド部３５１は、ポリプロピレン等の樹脂で構成される帯状の部材である。ロック装置３５２は、バンド部３５１の位置を機械的に固定し、バンド部３５１の締め付け力を調整するものである。
【００４６】
また、バンド３５０は、養生段ボール３２０を挟み込んだ状態で鏡面パネル７０に巻き付けられている。養生段ボール３２０は、鏡面パネル７０の脱衣室側の面に対面した状態でバンド３５０に巻き付けられている。また、鏡面パネル７０の端面におけるバンド部３５１が巻き回される箇所には、合紙３２１が配置されている。合紙３２１を介してバンド部３５１が鏡面パネル７０に巻き付けられることにより、バンド部３５１によって鏡面パネル７０に傷がつくような事態も防止されている。
【００４７】
図５（ａ）及び図５（ｂ）に示すように、鏡面パネル７０は、バンド３５０が巻き付けられた状態でポリシート３１１に包まれている。鏡面パネル７０を枠体１０に嵌め込む工程では、まず鏡面パネル７０の梱包が外される。鏡面パネル７０は、ポリシート３１１に包まれているので、ポリシート３１１がない状態でバンド３５０を見た作業者が、嵌め込む工程の前に誤ってバンド３５０を切断するような事態が防止されている。また、ポリシート３１１自体やポリシート３１１に添付した紙に、嵌め込む工程の前にバンド３５０を切断しないように注意書を書くことで、施工前の誤ったバンド３５０の切断をより効果的に防止できる。
【００４８】
図５（ｃ）に示すように、ポリシート３１１を取り外した後は、バンド３５０及び養生段ボール３２０を取り外すことなく、鏡面パネル７０を枠体１０に嵌め込む作業を行う。図６に示すように、梱包パット３６０を下枠１２の上面にセットする。
【００４９】
施工作業を行う作業者が、鏡面パネル７０に巻き付けられたバンド３５０の上下方向の略中央を持ち手として把持する。左右のバンド３５０をそれぞれ把持することによって鏡面パネル７０を容易かつ安定的に持ち上げることができる。
【００５０】
図７に示すように、梱包パット３６０の上面に鏡面パネル７０の下端を支持させた状態で、上端をパネル上枠８１の溝に差し込む。次に、鏡面パネル７０の下端をパネル下枠８２の溝に配置された支持部材８２ａの上面に載置する。そして、鏡面パネル７０を方立１６側のパネル縦框８３に把持させる。
【００５１】
図８に示すように、バンド３５０をはさみやカッター等の切断手段によって切断して引き抜き、合紙３２１及び梱包パット３６０も取り除く。本実施形態のバンド３５０は、その厚みが枠体１０に鏡面パネル７０を嵌め込んだ状態でも、バンド３５０のみを引き抜けることができるように設定されている。鏡面パネル７０への嵌め込み作業が終了すると、鏡面パネル７０が水平になっているかを確認し、水平ではない場合は取付位置を調整する。鏡面パネル７０の固定後に押縁（図示省略）の取付やビード部８１ｂ，８２ｂの取付作業が行われる。
【００５２】
以上説明した本実施形態の建具１の施工方法によれば、以下のような効果を奏する。
本実施形態の建具１の施工方法であって、バンド３５０を鏡面パネル７０に対して縦方向に巻き付ける工程と、鏡面パネル７０に巻き付けられたバンド３５０を把持部として鏡面パネル７０を枠体１０に嵌め込む工程と、を含む。
【００５３】
これにより、吸盤装置を用意することなく、バンド３５０により鏡面パネル７０の嵌め込み作業を容易かつ効率的に行うことができる。また、バンド３５０は、鏡面パネル７０に巻き付けられているので、出荷段階で梱包しても嵩張ることもなく、鏡面パネル７０を把持するための器具を鏡面パネル７０とともに発送することもできる。浴室内外の限られたスペースで作業を行う際でも、本実施形態の構成であれば、バンド３５０によって縦方向に鏡面パネル７０を立てる作業を容易に行うことができる。また、ロック装置３２による締めましを行うことができるので、施工作業前に締付状態を適切なものに調整でき、施工作業をより正確に行うことができる。
【００５４】
また、本実施形態では、２本のバンド３５０が間隔をあけて縦方向で巻き付けられている。このように、少なくとも２本のバンド３５０を巻き付けることによって左右方向で鏡面パネル８０を両手で安定して保持することができ、鏡面パネル７０を枠体１０に嵌め込む作業を一層効率的に行うことができる。なお、バンド３５０の巻き付け本数は、鏡面パネル７０の左右方向の長さや施工する現場の状況に応じて適宜変更できる。例えば、鏡面パネル７０の左右方向の長さが比較的長い場合にバンド３５０を３本以上巻き付けるようにしてもよいし、鏡面パネル７０の左右方向の長さが短い場合には巻き付けるバンド３５０を１本にして嵌め込み作業を行うようにしてもよい。
【００５５】
上記実施形態では、第１実施形態の建具１を例として説明したが第２実施形態の建具２０１の鏡面パネル２７０についても本実施形態の建具１の施工方法を適用することができる。また、框を有しないＦＩＸ窓のガラスの枠体への嵌め込みにおいても本実施形態の建具の施工方法は応用することができ、良好な作業性とともに適用範囲の広い有効な技術となっている。
【符号の説明】
【００５６】
１  建具
１０  枠体
１９  戸袋
２０  障子（戸体）
２６  ガラス（透明部）
７０  鏡面パネル（面材）
７１  鏡面部
２０１  建具
２１０  枠体
２２０  ドア（戸体）
２７０  鏡面パネル（面材）
２７１  鏡面部
３５０  バンド
【図１】
0006726461.tif 000002
【図２】
0006726461.tif 000003
【図３】
0006726461.tif 000004
【図４】
0006726461.tif 000005
【図５】
0006726461.tif 000006
【図６】
0006726461.tif 000007
【図７】
0006726461.tif 000008
【図８】
0006726461.tif 000009